(57)【特許請求の範囲】
【請求項１】
撮像デバイスおよび出力デバイスを備える電子機器と、
記録媒体に印刷を実行する画像形成装置と、
マーカーを登録するマーカー登録手段とを備え、
前記マーカー登録手段は、前記マーカーと、印刷の実行を指示した利用者の識別情報とを少なくとも互いに関連付けて含むマーカー管理情報を有し、
前記画像形成装置は、外部から送信されてきた印刷データと、この印刷データに関連付けられて送信されてきた利用者の認証用情報とを受信し、受信した前記認証用情報を前記マーカー登録手段に送信することによって、利用者の認証を前記マーカー登録手段に依頼し、
前記マーカー登録手段は、前記画像形成装置から送信されてきた前記認証用情報に基づいて実行した認証の結果を前記画像形成装置に返信し、
前記画像形成装置は、前記マーカー登録手段から認証の成功が返信されてきた場合、前記マーカーを生成し、生成した前記マーカーと、前記認証用情報における前記識別情報とを前記マーカー登録手段に送信することによって、前記マーカー登録手段に前記マーカー管理情報を更新させ、前記印刷データに基づいた画像を、生成した前記マーカーを含めて前記記録媒体に印刷し、
前記電子機器は、前記記録媒体に印刷されている前記マーカーを前記撮像デバイスによって撮影することによって、前記撮像デバイスによって撮影された前記マーカーに関連付けられて前記マーカー登録手段に登録されている前記識別情報を取得し、前記撮像デバイスによる撮影画像において、前記マーカーに対応する位置に、取得した前記識別情報を合成した合成画像を前記出力デバイスに出力する情報取得手段を備えることを特徴とする画像形成システム。
【請求項２】
前記画像形成装置は、前記印刷データに基づいた前記画像を複数枚の前記記録媒体に印刷する場合、複数枚の前記記録媒体の全部または一部に跨って１つの前記マーカーを印刷し、複数枚の前記記録媒体の全部または一部に跨って印刷された前記マーカーが現れる状態で複数枚の前記記録媒体をずらして排出することを特徴とする請求項１に記載の画像形成システム。
【請求項３】
前記画像形成装置は、前記マーカー登録手段から認証の成功が返信されてきた場合に、前記マーカー登録手段によって認証された利用者に対して過去に前記マーカーを生成していたとき、新たな前記マーカーを生成せずに、前記印刷データに基づいた画像を、この利用者に対して過去に生成した前記マーカーを含めて前記記録媒体に印刷することを特徴とする請求項１または請求項２に記載の画像形成システム。
【請求項４】
前記画像形成装置は、前記マーカーを生成する場合に、前記印刷データに基づいた前記画像の少なくとも一部を前記マーカーとすることを特徴とする請求項１から請求項３までの何れかに記載の画像形成システム。
【請求項５】
撮像デバイスおよび出力デバイスを備える電子機器と、
記録媒体に印刷を実行する画像形成装置と、
マーカーを登録するマーカー登録手段とを備え、
前記マーカー登録手段は、前記マーカーと、印刷の実行を指示した利用者の識別情報とを少なくとも互いに関連付けて含むマーカー管理情報を有し、
前記画像形成装置は、
印刷済みの前記記録媒体が排出される排出部と、
前記排出部に対応して配置される表示デバイスとを備え、
前記画像形成装置は、外部から送信されてきた印刷データと、この印刷データに関連付けられて送信されてきた利用者の認証用情報とを受信し、受信した前記認証用情報を前記マーカー登録手段に送信することによって、利用者の認証を前記マーカー登録手段に依頼し、
前記マーカー登録手段は、前記画像形成装置から送信されてきた前記認証用情報に基づいて実行した認証の結果を前記画像形成装置に返信し、
前記画像形成装置は、前記マーカー登録手段から認証の成功が返信されてきた場合、前記マーカーを生成し、生成した前記マーカーと、前記認証用情報における前記識別情報とを前記マーカー登録手段に送信することによって、前記マーカー登録手段に前記マーカー管理情報を更新させ、前記印刷データに基づいた画像を印刷する前記記録媒体が排出される前記排出部を前記認証用情報における前記識別情報に応じて決定し、決定した前記排出部に対応して配置される前記表示デバイスに、生成した前記マーカーを表示し、
前記電子機器は、前記表示デバイスに表示されている前記マーカーを前記撮像デバイスによって撮影することによって、前記撮像デバイスによって撮影された前記マーカーに関連付けられて前記マーカー登録手段に登録されている前記識別情報を取得し、前記撮像デバイスによる撮影画像において、前記マーカーに対応する位置に、取得した前記識別情報を合成した合成画像を前記出力デバイスに出力する情報取得手段を備えることを特徴とする画像形成システム。
【請求項６】
前記画像形成装置は、前記マーカー登録手段から認証の成功が返信されてきた場合に、前記マーカー登録手段によって認証された利用者に対して過去に前記マーカーを生成していたとき、新たな前記マーカーを生成せずに、この利用者に対して過去に生成した前記マーカーを前記表示デバイスに表示することを特徴とする請求項５に記載の画像形成システム。
【発明の詳細な説明】
【技術分野】
【０００１】
本発明は、印刷の実行を指示した利用者の位置を印刷後に特定する画像形成システムに関する。
【背景技術】
【０００２】
従来、撮影画像において画像形成装置に対応する位置に画像形成装置の状態を合成する画像形成システムが知られている（特許文献１参照。）。
【先行技術文献】
【特許文献】
【０００３】
【特許文献１】特開２０１２−０２９１６４号公報
【発明の概要】
【発明が解決しようとする課題】
【０００４】
しかしながら、従来の画像形成システムにおいては、印刷の実行を指示した利用者の位置を印刷後に特定することができないという問題がある。
【０００５】
そこで、本発明は、印刷の実行を指示した利用者の位置を印刷後に特定することができる画像形成システムを提供することを目的とする。
【課題を解決するための手段】
【０００６】
本発明の画像形成システムは、撮像デバイスおよび出力デバイスを備える電子機器と、記録媒体に印刷を実行する画像形成装置と、マーカーを登録するマーカー登録手段とを備え、前記画像形成装置は、印刷の実行を指示した利用者の位置情報に関連付けた前記マーカーを前記記録媒体に印刷し、前記マーカー登録手段は、前記マーカーに関連付けられた前記位置情報を登録し、前記電子機器は、前記記録媒体に印刷されている前記マーカーを前記撮像デバイスによって撮影することによって、前記撮像デバイスによって撮影された前記マーカーに関連付けられて前記マーカー登録手段に登録されている前記位置情報を取得する情報取得手段と、前記情報取得手段によって取得された前記位置情報に応じた位置を通知する位置通知画像を前記出力デバイスに出力する位置通知画像出力手段とを備えることを特徴とする。
【０００７】
この構成により、本発明の画像形成システムは、利用者の位置情報に関連付けられたマーカーを記録媒体に印刷し、撮像デバイスによって撮影されたマーカーに関連付けられた利用者の位置情報に応じた位置を通知する位置通知画像を出力デバイスに出力するので、印刷の実行を指示した利用者の位置を印刷後に特定することができる。
【０００８】
また、本発明の画像形成システムにおいて、前記位置通知画像出力手段は、前記撮像デバイスによって撮影された前記記録媒体の画像を前記位置通知画像に含めても良い。
【０００９】
この構成により、本発明の画像形成システムは、印刷の実行を指示した利用者の位置と、印刷済みの記録媒体の画像とを１つの位置通知画像によって表示するので、印刷の実行を指示した利用者に印刷済みの記録媒体が渡される場合に、渡し間違いが発生する可能性を抑えることができる。
【００１０】
本発明の画像形成システムは、撮像デバイスおよび出力デバイスを備える電子機器と、記録媒体に印刷を実行する画像形成装置と、マーカーを登録するマーカー登録手段とを備え、前記画像形成装置は、印刷済みの前記記録媒体が排出される排出部と、前記排出部に対応して配置される表示デバイスとを備え、前記画像形成装置は、印刷の実行を指示した利用者の位置情報に関連付けた前記マーカーを、前記記録媒体が排出される前記排出部に対応して配置される前記表示デバイスに表示し、前記マーカー登録手段は、前記マーカーに関連付けられた前記位置情報を登録し、前記電子機器は、前記表示デバイスに表示されている前記マーカーを前記撮像デバイスによって撮影することによって、前記撮像デバイスによって撮影された前記マーカーに関連付けられて前記マーカー登録手段に登録されている前記位置情報を取得する情報取得手段と、前記情報取得手段によって取得された前記位置情報に応じた位置を通知する位置通知画像を前記出力デバイスに出力する位置通知画像出力手段とを備えることを特徴とする。
【００１１】
この構成により、本発明の画像形成システムは、印刷済みの記録媒体が排出される排出部に対応して配置される表示デバイスに、利用者の位置情報に関連付けられたマーカーを表示し、撮像デバイスによって撮影されたマーカーに関連付けられた利用者の位置情報に応じた位置を通知する位置通知画像を出力デバイスに出力するので、印刷の実行を指示した利用者の位置を印刷後に特定することができる。
【００１２】
また、本発明の画像形成システムにおいて、前記マーカー登録手段は、前記記録媒体に印刷された画像のサムネイルを前記マーカーに関連付けて登録し、前記位置通知画像出力手段は、前記撮像デバイスによって撮影された前記マーカーに関連付けられて前記マーカー登録手段に登録されている前記サムネイルを前記位置通知画像に含めても良い。
【００１３】
この構成により、本発明の画像形成システムは、印刷の実行を指示した利用者の位置と、印刷済みの記録媒体のサムネイルとを１つの位置通知画像に含めるので、印刷の実行を指示した利用者に印刷済みの記録媒体が渡される場合に、渡し間違いが発生する可能性を抑えることができる。
【００１４】
また、本発明の画像形成システムにおいて、前記電子機器は、前記撮像デバイスによる撮影画像において前記位置情報に応じた位置を指示する位置指示画像を合成して前記位置通知画像を生成しても良い。
【００１５】
この構成により、本発明の画像形成システムは、撮影画像に位置指示画像を合成するので、印刷の実行を指示した利用者の発見を容易化することができる。
【００１６】
また、本発明の画像形成システムにおいて、前記マーカー登録手段は、利用者の識別情報を前記マーカーに関連付けて登録し、前記情報取得手段は、前記撮像デバイスによって撮影された前記マーカーに関連付けられて前記マーカー登録手段に登録されている前記位置情報および前記識別情報を取得し、前記位置通知画像出力手段は、前記情報取得手段によって取得された前記識別情報を前記位置通知画像に含めても良い。
【００１７】
この構成により、本発明の画像形成システムは、印刷の実行を指示した利用者の位置だけでなく、印刷の実行を指示した利用者の識別情報を１つの位置通知画像によって表示するので、印刷の実行を指示した利用者を適切に特定することができる。
【発明の効果】
【００１８】
本発明の画像形成システムは、印刷の実行を指示した利用者の位置を印刷後に特定することができる。
【図面の簡単な説明】
【００１９】
【図１】本発明の一実施の形態に係る画像形成システムのブロック図である。
【図２】図１に示すＭＦＰのブロック図である。
【図３】図１に示すＭＦＰであって、図２に示すＭＦＰとは異なるＭＦＰの概略構成図である。
【図４】図３に示すＭＦＰのブロック図である。
【図５】図１に示すサーバーのブロック図である。
【図６】図５に示すドキュメント管理情報の一例を示す図である。
【図７】図５に示すマーカー管理情報の一例を示す図である。
【図８】図５に示す座席情報の一例を示す図である。
【図９】図１に示す携帯機器のブロック図である。
【図１０】印刷データを受信する場合の図２に示すＭＦＰの動作のフローチャートである。
【図１１】図１０に示す動作によってマーカーが印刷された記録媒体の一例を示す図である。
【図１２】図１０に示す動作によってマーカーが印刷された記録媒体の一例であって、図１１に示す例とは異なる例を示す図である。
【図１３】印刷データを受信する場合の図３に示すＭＦＰの動作のフローチャートである。
【図１４】図１３に示す動作によってマーカーが表示されたマーカー表示部の一例を示す図である。
【図１５】マーカーを撮影する場合の図９に示す携帯機器の動作のフローチャートである。
【図１６】図１１に示すマーカーが撮影された場合に表示部に表示される画像の一例を示す図である。
【図１７】図１４に示すマーカーが撮影された場合に表示部に表示される画像の一例を示す図である。
【図１８】印刷の実行を指示した利用者の位置を通知する場合の図９に示す携帯機器の動作のフローチャートである。
【図１９】（ａ）図９に示す撮像部によって撮影された実際の座席の画像の一例を示す図である。  （ｂ）図１９（ａ）に示す画像に基づいて生成された位置通知画像の一例を示す図である。
【図２０】図１１に示すマーカーが撮影された場合に表示部に表示される画像の一例であって、図１６に示す例とは異なる例を示す図である。
【発明を実施するための形態】
【００２０】
以下、本発明の一実施の形態について、図面を用いて説明する。
【００２１】
まず、本実施の形態に係る画像形成システムの構成について説明する。
【００２２】
図１は、本実施の形態に係る画像形成システム１０のブロック図である。
【００２３】
図１に示すように、画像形成システム１０は、ＭＦＰ（Ｍｕｌｔｉｆｕｎｃｔｉｏｎ  Ｐｅｒｉｐｈｅｒａｌ）２０、３０を含む複数のＭＦＰと、これら複数のＭＦＰを管理する例えばＰＣ（Ｐｅｒｓｏｎａｌ  Ｃｏｍｐｕｔｅｒ）などのサーバー４０と、例えばスマートフォンなどの携帯機器５０とを備えている。画像形成システム１０の複数のＭＦＰと、サーバー４０と、携帯機器５０とは、ＬＡＮ（Ｌｏｃａｌ  Ａｒｅａ  Ｎｅｔｗｏｒｋ）、インターネットなどのネットワーク１１を介して互いに通信可能に接続されている。携帯機器５０は、本発明の電子機器を構成している。
【００２４】
画像形成システム１０の複数のＭＦＰのそれぞれの構成は、ＭＦＰ２０の構成またはＭＦＰ３０の構成と同様である。したがって、以下においては、画像形成システム１０の複数のＭＦＰを代表してＭＦＰ２０およびＭＦＰ３０について説明する。
【００２５】
図２は、ＭＦＰ２０のブロック図である。
【００２６】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行う通信デバイスである通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、登録商標）、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２７】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行することができる。
【００２８】
図３は、ＭＦＰ３０の概略構成図である。図４は、ＭＦＰ３０のブロック図である。
【００２９】
図３および図４に示すように、ＭＦＰ３０は、利用者による種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に印刷を実行する印刷デバイスであるプリンター３４とを備えている。
【００３０】
ここで、プリンター３４は、印刷済みの記録媒体が排出される複数の排出部３４ａを備えている。
【００３１】
ＭＦＰ３０は、排出部３４ａに対応して配置されるＬＣＤなどの表示デバイスである複数のマーカー表示部３５と、図示していない外部のファクシミリ装置と公衆電話回線などの通信回線経由でファックス通信を行うファックスデバイスであるファックス通信部３６と、ネットワーク１１（図１参照。）経由で外部の装置と通信を行う通信デバイスである通信部３７と、各種のデータを記憶しているＥＥＰＲＯＭ、ＨＤＤなどの不揮発性の記憶デバイスである記憶部３８と、ＭＦＰ３０全体を制御する制御部３９とを備えている。
【００３２】
制御部３９は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３８に記憶されているプログラムを実行することができる。
【００３３】
図５は、サーバー４０のブロック図である。
【００３４】
図５に示すように、サーバー４０は、利用者による種々の操作が入力されるマウス、キーボードなどの入力デバイスである操作部４１と、種々の情報を表示するＬＣＤなどの表示デバイスである表示部４２と、ネットワーク１１（図１参照。）経由で外部の装置と通信を行う通信デバイスである通信部４３と、各種のデータを記憶しているＨＤＤなどの不揮発性の記憶デバイスである記憶部４４と、サーバー４０全体を制御する制御部４５とを備えている。
【００３５】
記憶部４４は、利用者ＩＤと、パスワードとの組み合わせなど、利用者を認証するための認証用情報４４ａを記憶している。
【００３６】
記憶部４４は、画像形成システム１０のＭＦＰによって印刷されたドキュメントを管理するためのドキュメント管理情報４４ｂを記憶している。
【００３７】
記憶部４４は、利用者の識別情報に関連付けられたマーカーを管理するためのマーカー管理情報４４ｃを記憶している。すなわち、サーバー４０は、マーカーを登録するマーカー登録手段を構成している。
【００３８】
記憶部４４は、利用者の位置情報を管理するための座席情報４４ｄを記憶している。
【００３９】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００４０】
図６は、ドキュメント管理情報４４ｂの一例を示す図である。
【００４１】
図６に示すように、ドキュメント管理情報４４ｂは、例えば、印刷ジョブの識別情報であるジョブＩＤと、印刷の実行を指示した利用者の識別情報の一態様である利用者ＩＤと、印刷ジョブの対象のドキュメントの画像、すなわち、記録媒体に印刷された画像のサムネイルとを少なくとも互いに関連付けて含んでいる。
【００４２】
図７は、マーカー管理情報４４ｃの一例を示す図である。
【００４３】
図７に示すように、マーカー管理情報４４ｃは、例えば、マーカーと、印刷の実行を指示した利用者の利用者ＩＤとを少なくとも互いに関連付けて含んでいる。
【００４４】
図８は、座席情報４４ｄの一例を示す図である。
【００４５】
図８に示すように、座席情報４４ｄは、例えば、利用者の利用者ＩＤと、この利用者の位置情報とを少なくとも互いに関連付けて含んでいる。
【００４６】
なお、サーバー４０は、図６に示すドキュメント管理情報４４ｂによって利用者ＩＤと、画像のサムネイルとを互いに関連付けて登録しているとともに、図７に示すマーカー管理情報４４ｃによってマーカーと、利用者の利用者ＩＤとを互いに関連付けて登録している。すなわち、サーバー４０は、マーカーと、画像のサムネイルとをドキュメント管理情報４４ｂおよびマーカー管理情報４４ｃの組み合わせによって互いに関連付けて登録している。
【００４７】
また、サーバー４０は、図７に示すマーカー管理情報４４ｃによってマーカーと、利用者の利用者ＩＤとを互いに関連付けて登録しているとともに、図８に示す座席情報４４ｄによって利用者の利用者ＩＤと、この利用者の位置情報とを互いに関連付けて登録している。すなわち、サーバー４０は、マーカーと、利用者の位置情報とをマーカー管理情報４４ｃおよび座席情報４４ｄの組み合わせによって互いに関連付けて登録している。
【００４８】
図９は、携帯機器５０のブロック図である。
【００４９】
図９に示すように、携帯機器５０は、種々の操作が入力されるボタンなどの入力デバイスである操作部５１と、種々の情報を表示するＬＣＤなどの出力デバイスである表示部５２と、撮像デバイスである撮像部５３と、携帯機器５０の現実空間での現在の位置を検出するＧＰＳ（Ｇｌｏｂａｌ  Ｐｏｓｉｔｉｏｎｉｎｇ  Ｓｙｓｔｅｍ）受信機などの位置検出デバイスである位置検出部５４と、携帯機器５０の現実空間での現在の方向を検出する加速度センサーなどの方向検出デバイスである方向検出部５５と、無線通信によってネットワーク１１（図１参照。）経由で外部の装置と通信を行う通信デバイスである無線通信部５６と、プログラムおよび各種のデータを記憶しているＨＤＤなどの不揮発性の記憶デバイスである記憶部５７と、携帯機器５０全体を制御する制御部５８とを備えている。
【００５０】
操作部５１は、表示部５２とともにタッチパネルを構成する入力デバイスを含んでいる。
【００５１】
制御部５８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５７に記憶されているプログラムを実行することができる。
【００５２】
制御部５８は、ＲＯＭまたは記憶部５７に記憶されているプログラムを実行することによって、撮像部５３によって撮影されたマーカーに関連付けられてサーバー４０（図５参照。）に登録されている位置情報および利用者ＩＤを取得する情報取得手段５８ａ、および、情報取得手段５８ａによって取得された位置情報に応じた位置を通知する位置通知画像を表示部５２に出力する位置通知画像出力手段５８ｂとして機能する。
【００５３】
次に、画像形成システム１０の動作について説明する。
【００５４】
まず、印刷データを受信する場合のＭＦＰ２０の動作について説明する。
【００５５】
図１０は、印刷データを受信する場合のＭＦＰ２０の動作のフローチャートである。
【００５６】
利用者が図示していないコンピューターからＭＦＰ２０に印刷データを送信すると、ＭＦＰ２０は、図１０に示す動作を実行する。
【００５７】
図１０に示すように、ＭＦＰ２０の制御部２８は、送信されてきた印刷データと、この印刷データに関連付けられて送信されてきた利用者の認証用情報とを通信部２６を介して受信する（Ｓ１０１）。
【００５８】
次いで、制御部２８は、Ｓ１０１において受信した認証用情報を通信部２６を介してサーバー４０に送信することによって、利用者の認証をサーバー４０に依頼する（Ｓ１０２）。
【００５９】
ここで、サーバー４０の制御部４５は、ＭＦＰ２０から送信されてきた認証用情報を通信部４３を介して受信すると、受信した認証用情報に基づいて利用者の認証を実行する。具体的には、制御部４５は、受信した認証用情報が記憶部４４上の認証用情報４４ａに含まれている場合に利用者の認証が成功したと判断し、含まれていない場合に利用者の認証が失敗したと判断する。そして、制御部４５は、認証の結果を通信部４３を介してＭＦＰ２０に返信する。
【００６０】
制御部２８は、Ｓ１０２の処理の後、サーバー４０から送信されてきた認証の結果を通信部２６を介して受信すると、受信した結果が認証の成功であるか否かを判断する（Ｓ１０３）。
【００６１】
制御部２８は、認証の成功ではない、すなわち、認証の失敗であるとＳ１０３において判断すると、Ｓ１０１において受信した印刷データを破棄して（Ｓ１０４）、図１０に示す動作を終了する。
【００６２】
制御部２８は、認証の成功であるとＳ１０３において判断すると、マーカーを生成する（Ｓ１０５）。例えば、制御部２８は、図形や文字をマーカーとして生成しても良いし、利用者から指示された印刷内容の少なくとも一部をマーカーとしても良い。
【００６３】
次いで、制御部２８は、Ｓ１０１において受信した認証用情報における利用者ＩＤと、Ｓ１０５において生成したマーカーとをサーバー４０に送信することによって、サーバー４０にマーカー管理情報４４ｃを更新させる。
【００６４】
次いで、制御部２８は、Ｓ１０１において受信した印刷データに基づいた印刷を、Ｓ１０５において生成したマーカーを含めて実行する（Ｓ１０７）。
【００６５】
例えば、制御部２８は、図１１に示すように、Ｓ１０１において受信した印刷データに基づいた画像９１をプリンター３４によって記録媒体９０に印刷する場合に、Ｓ１０５において生成したマーカー９２もプリンター３４によって記録媒体９０に印刷するようになっていても良い。ここで、制御部２８は、複数枚の記録媒体９０に印刷する場合、全ての記録媒体９０にマーカー９２を印刷するようになっていても良いし、複数枚の記録媒体９０のうちの最初の１枚など、特定の記録媒体９０のみにマーカー９２を印刷するようになっていても良い。
【００６６】
また、制御部２８は、図１２に示すように、Ｓ１０１において受信した印刷データに基づいた画像９１をプリンター３４によって複数枚の記録媒体９０に印刷する場合に、複数枚の記録媒体９０に跨って１つのマーカー９２を印刷し、複数枚の記録媒体９０に跨って印刷されたマーカー９２が現れる状態で複数枚の記録媒体９０をずらして排出部に排出するようになっていても良い。なお、制御部２８は、複数枚の記録媒体９０に跨ってマーカー９２を印刷する場合、複数枚の記録媒体９０のうち２枚以上の記録媒体９０に跨ってマーカー９２を印刷すれば、複数枚の記録媒体９０の全部に跨ってマーカー９２を印刷しなくても良い。
【００６７】
図１０に示すように、制御部２８は、Ｓ１０７の処理の後、Ｓ１０１において受信した印刷データに基づいた今回の印刷ジョブのジョブＩＤと、Ｓ１０１において受信した認証用情報における利用者ＩＤと、印刷ジョブの対象のドキュメントの画像、すなわち、Ｓ１０１において受信した印刷データに基づいた画像とをサーバー４０に送信することによって、サーバー４０にドキュメント管理情報４４ｂを更新させて（Ｓ１０８）、図１０に示す動作を終了する。
【００６８】
図１３は、印刷データを受信する場合のＭＦＰ３０の動作のフローチャートである。
【００６９】
利用者が図示していないコンピューターからＭＦＰ３０に印刷データを送信すると、ＭＦＰ３０は、図１３に示す動作を実行する。
【００７０】
図１３に示すように、ＭＦＰ３０の制御部３９は、図１０に示す動作と同様に、Ｓ１０１〜Ｓ１０６の処理を実行する。
【００７１】
制御部３９は、Ｓ１０６の処理の後、Ｓ１０１において受信した印刷データに基づいた印刷を実行する（Ｓ１１１）。ここで、制御部３９は、印刷済みの記録媒体が排出される排出部３４ａを、記録媒体への印刷の実行を指示した利用者、すなわち、Ｓ１０１において受信した認証用情報における利用者ＩＤに応じて決定する。
【００７２】
制御部３９は、Ｓ１１１の処理の後、例えば、図１４に示すように、Ｓ１１１において記録媒体が排出される排出部３４ａに対応して配置されるマーカー表示部３５に、Ｓ１０５において生成したマーカーを表示する（Ｓ１１２）。
【００７３】
制御部３９は、Ｓ１１２の処理の後、図１０に示す動作と同様にＳ１０８の処理を実行して、図１３に示す動作を終了する。
【００７４】
次に、マーカーを撮影する場合の携帯機器５０の動作について説明する。
【００７５】
図１５は、マーカーを撮影する場合の携帯機器５０の動作のフローチャートである。
【００７６】
図１５に示すように、携帯機器５０の情報取得手段５８ａは、撮像部５３による撮影画像を表示部５２に表示することを開始する（Ｓ１３１）。
【００７７】
次いで、情報取得手段５８ａは、撮像部５３による撮影画像にマーカーが含まれているか否かを判断する（Ｓ１３２）。ここで、図１１または図１２に示すような記録媒体９０に印刷されているマーカー９２は、携帯機器５０の利用者によって撮像部５３で撮影されることによって、撮像部５３による撮影画像に含まれる。同様に、図１４に示すようなマーカー表示部３５に表示されているマーカーも、携帯機器５０の利用者によって撮像部５３で撮影されることによって、撮像部５３による撮影画像に含まれる。
【００７８】
情報取得手段５８ａは、撮像部５３による撮影画像にマーカーが含まれているとＳ１３２において判断すると、撮影画像に含まれているマーカーに関連付けられてサーバー４０のマーカー管理情報４４ｃに登録されている利用者ＩＤと、この利用者ＩＤに関連付けられてサーバー４０の座席情報４４ｄに登録されている位置情報とを取得する（Ｓ１３３）。
【００７９】
そして、情報取得手段５８ａは、撮像部５３による撮影画像において、マーカーに対応する位置に、Ｓ１３３において取得した利用者ＩＤを合成した合成画像を表示部５２に表示させる（Ｓ１３４）。
【００８０】
例えば、図１１に示す記録媒体９０に印刷されているマーカー９２が携帯機器５０の利用者によって撮像部５３で撮影された場合、情報取得手段５８ａは、図１６に示すように、Ｓ１３３において取得した利用者ＩＤである「ＵＳＥＲ００１」を合成した合成画像を表示部５２に表示させる。
【００８１】
また、図１４に示すマーカー表示部３５に印刷されているマーカーが携帯機器５０の利用者によって撮像部５３で撮影された場合、情報取得手段５８ａは、図１７に示すように、Ｓ１３３において取得した利用者ＩＤである「ＵＳＥＲ００１」、「ＵＳＥＲ００２」、「ＵＳＥＲ００３」を合成した合成画像を表示部５２に表示させる。
【００８２】
図１５に示すように、情報取得手段５８ａは、撮像部５３による撮影画像にマーカーが含まれていないとＳ１３２において判断するか、Ｓ１３４の処理を実行した後、特定の期間が経過したとＳ１３５において判断すると、Ｓ１３２の処理を実行する。
【００８３】
次に、印刷の実行を指示した利用者の位置を通知する場合の携帯機器５０の動作について説明する。
【００８４】
図１８は、印刷の実行を指示した利用者の位置を通知する場合の携帯機器５０の動作のフローチャートである。
【００８５】
携帯機器５０は、撮像部５３による撮影画像に利用者ＩＤを合成した合成画像を表示部５２に表示させている場合に、表示部５２に表示させている利用者ＩＤが付与されている利用者の位置の通知が操作部５１を介して指示されると、図１８に示す動作を実行する。
【００８６】
図１８に示すように、携帯機器５０の位置通知画像出力手段５８ｂは、撮像部５３による撮影画像を表示部５２に表示することを開始する（Ｓ１４１）。
【００８７】
次いで、位置通知画像出力手段５８ｂは、位置検出部５４によって検出された携帯機器５０の位置と、方向検出部５５によって検出された方向に基づいた撮像部５３の撮影方向と、Ｓ１３３において取得された位置情報とに基づいて、印刷の実行を指示した利用者の位置が撮像部５３による撮影画像に含まれるか否かを判断する（Ｓ１４２）。
【００８８】
位置通知画像出力手段５８ｂは、印刷の実行を指示した利用者の位置が撮影画像に含まれるとＳ１４２において判断すると、Ｓ１３３において取得された位置情報に応じた位置を指示する位置指示画像を撮影画像に合成して位置通知画像を生成する（Ｓ１４３）。
【００８９】
図１９（ａ）は、撮像部５３によって撮影された実際の座席の画像の一例を示す図である。図１９（ｂ）は、図１９（ａ）に示す画像に基づいて生成された位置通知画像の一例を示す図である。
【００９０】
図１９に示すように、位置通知画像６１は、印刷の実行を指示した利用者の位置を指示する位置指示画像６２と、印刷された画像のサムネイル６３と、印刷の実行を指示した利用者の利用者ＩＤとを実際の座席の撮影画像６０に合成した合成画像である。
【００９１】
図１８に示すように、位置通知画像出力手段５８ｂは、Ｓ１４３の処理の後、Ｓ１４３において生成した位置通知画像を表示部５２に表示させる（Ｓ１４４）。
【００９２】
位置通知画像出力手段５８ｂは、印刷の実行を指示した利用者の位置が撮影画像に含まれていないとＳ１４２において判断するか、Ｓ１４４の処理を実行した後、特定の期間が経過したとＳ１４５において判断すると、Ｓ１４２の処理を実行する。
【００９３】
以上に説明したように、画像形成システム１０は、利用者の位置情報に関連付けられたマーカーを記録媒体に印刷し（Ｓ１０７）、撮像部５３によって撮影されたマーカーに関連付けられた利用者の位置情報に応じた位置を通知する位置通知画像を表示部５２に出力する（Ｓ１４４）ので、印刷の実行を指示した利用者の位置を印刷後に特定することができる。
【００９４】
また、画像形成システム１０は、利用者の利用者ＩＤに関連付けられたマーカーを記録媒体に印刷し（Ｓ１０７）、撮像部５３によって撮影されたマーカーに関連付けられた利用者ＩＤを表示部５２に出力する（Ｓ１３４およびＳ１４４）ので、印刷の実行を指示した利用者を印刷後に特定することができる。
【００９５】
画像形成システム１０は、利用者の利用者ＩＤおよび位置情報に関連付けられたマーカーを記録媒体に印刷する場合に、利用者から指示された印刷内容の少なくとも一部をマーカーとする構成であるとき、専用のマーカーを記録媒体に印刷する必要がないので、記録媒体の本来の印刷内容の視認性が専用のマーカーによって低下することを防止することができる。
【００９６】
画像形成システム１０は、利用者ＩＤに関連付けられたマーカーを記録媒体に印刷する場合に、図１２に示すように複数枚の記録媒体９０に跨って１つのマーカー９２を印刷するとき、記録媒体９０の本来の印刷内容に余白が少なくても、印刷の実行を指示した利用者を専用のマーカー９２によって印刷後に特定することができる。
【００９７】
画像形成システム１０は、印刷済みの記録媒体が排出される排出部３４ａに対応して配置されるマーカー表示部３５に、利用者の位置情報に関連付けられたマーカーを表示し（Ｓ１１２）、撮像部５３によって撮影されたマーカーに関連付けられた利用者の位置情報に応じた位置を通知する位置通知画像を表示部５２に出力する（Ｓ１４４）ので、印刷の実行を指示した利用者の位置を印刷後に特定することができる。
【００９８】
また、画像形成システム１０は、印刷済みの記録媒体が排出される排出部３４ａに対応して配置されるマーカー表示部３５に、利用者ＩＤに関連付けられたマーカーを表示し（Ｓ１１２）、撮像部５３によって撮影されたマーカーに関連付けられた利用者ＩＤを表示部５２に出力する（Ｓ１３４およびＳ１４４）ので、印刷の実行を指示した利用者を印刷後に特定することができる。
【００９９】
画像形成システム１０は、利用者ＩＤに関連付けられたマーカーをマーカー表示部３５に表示する場合に、印刷済みの記録媒体が排出される排出部３４ａを、記録媒体への印刷の実行を指示した利用者に応じて決定するので、印刷済みの記録媒体が排出された排出部３４ａに応じて利用者を特定することができる。
【０１００】
画像形成システム１０は、撮影画像においてマーカーに対応する位置に利用者ＩＤを合成した合成画像を表示する（Ｓ１３４）ので、撮影画像に複数のマーカーが含まれている場合であっても、複数のマーカーのそれぞれに関連付けられた利用者を特定することができる。
【０１０１】
なお、画像形成システム１０は、撮像部５３による撮影画像に含まれているマーカーに関連付けられている利用者ＩＤを表示部５２に出力する構成であれば、ＡＲ（Ａｕｇｍｅｎｔｅｄ  Ｒｅａｌｉｔｙ）技術を利用しなくても良い。例えば、携帯機器５０の位置通知画像出力手段５８ｂは、図１１に示す記録媒体９０に印刷されているマーカー９２が携帯機器５０の利用者によって撮像部５３で撮影された場合、図２０に示すように、Ｓ１３３において取得した利用者ＩＤである「ＵＳＥＲ００１」を表示部５２に表示させても良い。
【０１０２】
画像形成システム１０は、位置通知画像６１に含めるサムネイル６３として撮像部５３によって撮影された記録媒体の画像を使用する場合、印刷の実行を指示した利用者の位置と、印刷済みの記録媒体の画像とを１つの位置通知画像６１によって表示するので、印刷の実行を指示した利用者に印刷済みの記録媒体が渡される場合に、渡し間違いが発生する可能性を抑えることができる。
【０１０３】
なお、画像形成システム１０は、撮像部５３によって撮影された記録媒体の画像を位置通知画像６１におけるサムネイル６３とせずに、撮像部５３によって撮影されたマーカーに関連付けられてサーバー４０のドキュメント管理情報４４ｂに登録されているサムネイルを位置通知画像６１におけるサムネイル６３としても良い。この構成であっても、画像形成システム１０は、印刷の実行を指示した利用者の位置と、印刷済みの記録媒体のサムネイルとを１つの位置通知画像に含めるので、印刷の実行を指示した利用者に印刷済みの記録媒体が渡される場合に、渡し間違いが発生する可能性を抑えることができる。
【０１０４】
画像形成システム１０は、撮影画像に位置指示画像を合成するので、印刷の実行を指示した利用者の発見を容易化することができる。
【０１０５】
なお、画像形成システム１０は、撮影画像に位置指示画像を合成せずに、事前に用意されている座席表に位置指示画像を合成した合成画像を表示部５２に表示するようになっていても良い。この場合、座席情報４４ｄの位置情報は、座席表における位置を示す情報であれば良い。
【０１０６】
画像形成システム１０は、印刷の実行を指示した利用者の位置だけでなく、印刷の実行を指示した利用者の利用者ＩＤを１つの位置通知画像によって表示する（Ｓ１４４）ので、印刷の実行を指示した利用者を適切に特定することができる。
【０１０７】
画像形成システム１０は、以上において、利用者の識別情報の一態様である利用者ＩＤを表示部５２に表示しているが、利用者ＩＤ以外の識別情報を表示部５２に表示しても良い。例えば、画像形成システム１０は、利用者の識別情報の一態様である利用者名を表示部５２に表示しても良い。画像形成システム１０は、利用者の識別情報の一態様である利用者名を表示部５２に表示する場合、利用者の識別情報の一態様である利用者ＩＤと、利用者の識別情報の一態様である利用者名とを関連付けた利用者情報を例えばサーバー４０が記憶していて、ＭＦＰが利用者名を表示するときに利用者ＩＤと、利用者情報とを使用して利用者名を特定するようになっていても良い
【０１０８】
画像形成システム１０は、以上において、図１０または図１３の処理の度にマーカーを生成する（Ｓ１０５）ようになっているが、利用者毎に特定のマーカーを使用するようにすれば、マーカーを毎回生成する必要はない。
【０１０９】
画像形成システム１０は、ＭＦＰが外部から受信した印刷データに基づいて印刷を実行した記録媒体がＭＦＰの排出部から取り忘れられている場合であっても、印刷の実行を指示した利用者と、この利用者の位置とを印刷後に簡単な操作で特定することができる。しかしながら、画像形成システム１０は、ＭＦＰが外部から受信した印刷データに基づいて印刷を実行した場合以外の場合であっても、印刷の実行を指示した利用者と、この利用者の位置とを印刷後に特定することができる。例えば、画像形成システム１０は、スキャナーで読み取られた画像をプリンターで印刷するコピーの場合であっても、ＭＦＰが外部から受信した印刷データに基づいて印刷を実行する場合と同様の仕組みによって、コピーの実行を指示した利用者と、この利用者の位置とを印刷後に特定することができる。
【０１１０】
画像形成システム１０は、以上において、印刷の際にマーカーを決定するようになっている。しかしながら、画像形成システム１０は、印刷の時点以外の時点でマーカーを決定するようになっていても良い。例えば、画像形成システム１０は、コピーの場合、スキャナーによる画像の読み取りの時点でマーカーを決定しても良い。
【０１１１】
画像形成システム１０は、サーバー４０の機能の少なくとも一部を複数のＭＦＰの少なくとも１つによって実現しても良い。画像形成システム１０は、サーバー４０の機能の全部を複数のＭＦＰの少なくとも１つによって実現する場合、サーバー４０を備えていなくても良い。例えば、画像形成システム１０は、各ＭＦＰが自らドキュメント管理情報およびマーカー管理情報を記憶していても良い。
【０１１２】
画像形成システム１０は、本実施の形態において、本発明の電子機器として携帯機器を備えているが、ＰＣなど、携帯機器以外の電子機器を本発明の電子機器として備えていても良い。
【０１１３】
画像形成システム１０は、本実施の形態において、本発明の画像形成装置としてＭＦＰを備えているが、プリンター専用機、コピー専用機など、ＭＦＰ以外の画像形成装置を本発明の画像形成装置として備えていても良い。
【符号の説明】
【０１１４】
１０  画像形成システム
２０、３０  ＭＦＰ（画像形成装置）
３４ａ  排出部
３５  マーカー表示部（表示デバイス）
４０  サーバー（マーカー登録手段）
５０  携帯機器（電子機器）
５２  表示部（出力デバイス）
５３  撮像部（撮像デバイス）
５８ａ  情報取得手段
５８ｂ  位置通知画像出力手段
６０  撮影画像
６１  位置通知画像
６２  位置指示画像
６３  サムネイル
９０  記録媒体
９２  マーカー
【図１】
0006323682.tif 000002
【図２】
0006323682.tif 000003
【図３】
0006323682.tif 000004
【図４】
0006323682.tif 000005
【図５】
0006323682.tif 000006
【図６】
0006323682.tif 000007
【図７】
0006323682.tif 000008
【図８】
0006323682.tif 000009
【図９】
0006323682.tif 000010
【図１０】
0006323682.tif 000011
【図１１】
0006323682.tif 000012
【図１２】
0006323682.tif 000013
【図１３】
0006323682.tif 000014
【図１４】
0006323682.tif 000015
【図１５】
0006323682.tif 000016
【図１６】
0006323682.tif 000017
【図１７】
0006323682.tif 000018
【図１８】
0006323682.tif 000019
【図１９】
0006323682.tif 000020
【図２０】
0006323682.tif 000021